(57)【要約】【課題】Ｃｌｏｓｅｄ-ｌｏｏｐ  ＴＰＣで用いられるＴＰＣコマンドを効率的に送信する。【解決手段】本発明に係る無線基地局ｅＮＢは、移動局ＵＥに対してＴＰＣコマンドを多重して送信する移動局ＵＥ用のＴＰＣ-ＰＤＣＣＨを決定するように構成されているリソース割当部１２と、リソース割当部１２によって決定された移動局ＵＥ用のＴＰＣ-ＰＤＣＣＨにＴＰＣコマンドを多重して送信するように構成されている送信部１３とを具備し、リソース割当部１２は、各ＴＰＣ-ＰＤＣＣＨに多重されているＴＰＣコマンドの数に応じて、移動局ＵＥ用のＴＰＣ-ＰＤＣＣＨを決定するように構成されている。【選択図】図１３
2010268370.tif 000002
【特許請求の範囲】
【請求項１】
下りリンクチャネル内の特定のサブフレームにマッピングされる送信電力制御コマンド用下りリンク制御チャネルを介して、移動局における上りデータ信号の送信電力を制御するための該移動局用の送信電力制御コマンドを送信するように構成されている無線基地局であって、
前記特定のサブフレームを決定するように構成されているリソース割当部と、
前記リソース割当部によって決定された前記特定のサブフレームにマッピングされる送信電力制御コマンド用下りリンク制御チャネルを介して、前記移動局用の送信電力制御コマンドを送信するように構成されている送信部とを具備し、
前記リソース割当部は、各サブフレームで送信されている送信電力制御コマンドの数に応じて、前記特定のサブフレームを決定するように構成されていることを特徴とする無線基地局。
【請求項２】
前記リソース割当部は、各サブフレームの中で、最も多くの送信電力制御コマンドが送信されているサブフレームを、前記特定のサブフレームとするように構成されていることを特徴とする請求項１に記載の無線基地局。
【請求項３】
前記リソース割当部は、前記移動局に対して、一時的な識別情報と、前記特定のサブフレームにマッピングされる送信電力制御コマンド用下りリンク制御チャネル内における該移動局用の送信電力制御コマンドの多重位置を示すインデックスとを割り当てるように構成されており、
前記送信部は、前記特定のサブフレームにマッピングされる送信電力制御コマンド用下りリンク制御チャネルにおいて、前記インデックスによって示される多重位置に前記移動局用の送信電力制御コマンドを多重すると共に、前記一時的な識別情報を用いてスクランブリング処理が施された誤り検出符号を付与するように構成されていることを特徴とする請求項１又は２に記載の無線基地局。
【請求項４】
前記移動局が、間欠受信状態である場合に、前記リソース割当部は、該移動局における受信区間の前半の所定数のサブフレームのいずれかを、前記特定のサブフレームとするように構成されていることを特徴とする請求項１乃至３のいずれか一項に記載の無線基地局。
【請求項５】
前記リソース割当部は、各移動局における上りデータ信号の送信電力を制御するための送信電力制御コマンドを送信する送信電力制御コマンド用下りリンク制御チャネルをマッピングするサブフレームの区間と、各移動局における上り制御信号の送信電力を制御するための送信電力制御コマンドを送信する送信電力制御コマンド用下りリンク制御チャネルをマッピングするサブフレームの区間とを異なる区間とするように構成されていることを特徴とする請求項１乃至４のいずれか一項に記載の無線基地局。
【請求項６】
前記リソース割当部は、既に送信電力制御コマンドが送信されているサブフレームの中で、前記特定のサブフレームを決定するように構成されており、
前記リソース割当部は、既に送信電力制御コマンドが送信されているサブフレームの中に、前記特定のサブフレームとして決定可能なサブフレームが存在しない場合に、未だ送信電力制御コマンドが送信されていないサブフレームの中で、該特定のサブフレームを決定するように構成されていることを特徴とする請求項１乃至５のいずれか一項に記載の無線基地局。
【請求項７】
無線基地局が、下りリンクチャネル内の特定のサブフレームにマッピングされる送信電力制御コマンド用下りリンク制御チャネルを介して、移動局における上りデータ信号の送信電力を制御するための該移動局用の送信電力制御コマンドを送信する移動通信方法であって、
前記特定のサブフレームを決定する工程Ａと、
前記工程Ａにおいて決定された前記特定のサブフレームにマッピングされる送信電力制御コマンド用下りリンク制御チャネルを介して、前記移動局用の送信電力制御コマンドを送信する工程Ｂと、
前記移動局が、送信電力制御コマンド用下りリンク制御チャネルを介して該移動局用の送信電力制御コマンドを取得し、該移動局用の送信電力制御コマンドに基づいて上りデータ信号の送信電力を制御する工程Ｃとを有し、
前記工程Ａにおいて、各サブフレームで送信されている送信電力制御コマンドの数に応じて、前記特定のサブフレームを決定するように構成されていることを特徴とする移動通信方法。
【請求項８】
前記工程Ａにおいて、各サブフレームの中で、最も多くの送信電力制御コマンドが送信されているサブフレームを、前記特定のサブフレームとすることを特徴とする請求項７に記載の移動通信方法。
【請求項９】
前記工程Ａにおいて、前記移動局に対して、一時的な識別情報と、前記特定のサブフレームにマッピングされる送信電力制御コマンド用下りリンク制御チャネル内における該移動局用の送信電力制御コマンドの多重位置を示すインデックスとを割り当て、
前記工程Ｂにおいて、前記特定のサブフレームにマッピングされる送信電力制御コマンド用下りリンク制御チャネルにおいて、前記インデックスによって示される多重位置に前記移動局用の送信電力制御コマンドを多重すると共に、前記一時的な識別情報を用いてスクランブリング処理が施された誤り検出符号を付与し、
前記工程Ｃにおいて、前記移動局が、各サブフレームにおいて、前記一時的な識別情報を用いて、前記移動局用の送信電力制御コマンド用下りリンク制御チャネル上の信号の受信を試みることを特徴とする請求項７又は８に記載の移動通信方法。
【請求項１０】
前記移動局が、間欠受信状態である場合に、前記工程Ａにおいて、該移動局における受信区間の前半の所定数のサブフレームのいずれかを、前記特定のサブフレームとすることを特徴とする請求項７乃至９のいずれか一項に記載の移動通信方法。
【請求項１１】
前記工程Ａにおいて、各移動局における上りデータ信号の送信電力を制御するための送信電力制御コマンドを送信する送信電力制御コマンド用下りリンク制御チャネルをマッピングするサブフレームの区間と、各移動局における上り制御信号の送信電力を制御するための送信電力制御コマンドを送信する送信電力制御コマンド用下りリンク制御チャネルをマッピングするサブフレームの区間とを異なる区間とすることを特徴とする請求項７乃至１０のいずれか一項に記載の移動通信方法。
【請求項１２】
前記工程Ａにおいて、既に送信電力制御コマンドが送信されているサブフレームの中で、前記特定のサブフレームを決定し、既に送信電力制御コマンドが送信されているサブフレームの中に、該特定のサブフレームとして決定可能なサブフレームが存在しない場合に、未だ送信電力制御コマンドが送信されていないサブフレームの中で、該特定のサブフレームを決定することを特徴とする請求項７乃至１１のいずれか一項に記載の移動通信方法。
【発明の詳細な説明】
【技術分野】
【０００１】
本発明は、下りリンクチャネル内の特定のサブフレームにマッピングされる送信電力制御コマンド用下りリンク制御チャネルを介して、移動局における上りデータ信号の送信電力を制御するための該移動局用の送信電力制御コマンドを送信するように構成されている無線基地局及び移動通信方法に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、図２０に示すように、移動局ＵＥが、ＲＳ（Ｒｅｆｅｒｅｎｃｅ  Ｓｉｇｎａｌ）を用いて算出されたパスロス等に基づいて、ＰＵＳＣＨ（Ｐｈｙｓｉｃａｌ  Ｕｐｌｉｎｋ  Ｓｈａｒｅｄ  Ｃｈａｎｎｅｌ、物理上り共有チャネル）を介して送信される上りデータ信号及びＰＵＣＣＨ（Ｐｈｙｓｉｃａｌ  Ｕｐｌｉｎｋ  Ｃｏｎｔｒｏｌ  Ｃｈａｎｎｅｌ、物理上り制御チャネル）を介して送信される上り制御信号に対する送信電力制御（Ｏｐｅｎ-ｌｏｏｐ  ＴＰＣ）を行うように構成されている。
【０００３】
また、かかる移動通信システムでは、図２０に示すように、無線基地局ｅＮＢは、移動局ＵＥから受信したＳｏｕｎｄｉｎｇ  ＲＳや上りデータ信号等の受信電力に基づく送信電力制御（Ｃｌｏｓｅｄ-ｌｏｏｐ  ＴＰＣ）を行うことによって、上述のＯｐｅｎ-ｌｏｏｐ  ＴＰＣにおける誤差の補正を行うように構成されている。
【０００４】
かかるＣｌｏｓｅｄ-ｌｏｏｐ  ＴＰＣで用いられる送信電力制御（ＴＰＣ：Ｔｒａｎｓｍｉｓｓｉｏｎ  Ｐｏｗｅｒ  Ｃｏｎｔｒｏｌ）コマンドのうち、ＰＵＳＣＨを介して送信される上りデータ信号の送信電力を制御するＴＰＣコマンドは、ＴＰＣ-ＰＵＳＣＨであり、ＰＵＣＣＨを介して送信される上り制御信号の送信電力を制御するＴＰＣコマンドは、ＴＰＣ-ＰＵＣＣＨである。
【０００５】
ここで、ＴＰＣ-ＰＵＳＣＨは、ＵＬ  ｓｃｈｅｄｕｌｉｎｇ  ｇｒａｎｔ又はＴＰＣ-ＰＤＣＣＨ（ＴＰＣ-Ｐｈｙｓｉｃａｌ  Ｄｏｗｎｌｉｎｋ  Ｃｏｎｔｒｏｌ  Ｃｈａｎｎｅｌ、送信電力制御コマンド用下りリンク制御チャネル）によって送信され、ＴＰＣ-ＰＵＣＣＨは、ＤＬ  ｓｃｈｅｄｕｌｉｎｇ  ｉｎｆｏｒｍａｔｉｏｎ又はＴＰＣ-ＰＤＣＣＨによって送信されるように構成されている。
【０００６】
図２１に、かかるＴＰＣ-ＰＤＣＣＨの構成の一例を示す。図２１に示すように、ＴＰＣ-ＰＤＣＣＨには、３ＧＰＰで規定されている「ＤＣＩ  ｆｏｒｍａｔ  ３」若しくは「ＤＣＩ  ｆｏｒｍａｔ  ３Ａ」が適用されている。
【０００７】
具体的には、かかる「ＤＣＩ  ｆｏｒｍａｔ  ３」では、使用可能なビット数は、ＵＬ  ｓｃｈｅｄｕｌｉｎｇ  ｇｒａｎｔに適用されている「ＤＣＩ  ｆｏｒｍａｔ  ０」と同じであり、多重可能なＴＰＣコマンドの数は、「ビット数÷２」であると規定されている。
【０００８】
また、かかる「ＤＣＩ  ｆｏｒｍａｔ  ３Ａ」では、使用可能なビット数は、ＵＬ  ｓｃｈｅｄｕｌｉｎｇ  ｇｒａｎｔに適用されている「ＤＣＩ  ｆｏｒｍａｔ  ０」と同じであり、多重可能なＴＰＣコマンドの数は、「ビット数」であると規定されている。
【０００９】
図２１に示すように、無線基地局ｅＮＢは、ＴＰＣ-ＰＤＣＣＨに、複数の移動局ＵＥに対する複数のＴＰＣコマンドを多重するように構成されている。
【００１０】
また、図２１に示すように、無線基地局ｅＮＢは、１つ又は複数のＴＰＣコマンドに対して、所定のＲＮＴＩ（Ｒａｄｉｏ  Ｎｅｔｗｏｒｋ  Ｔｅｍｐｏｒａｒｙ  Ｉｄｅｎｔｉｔｙ）を用いてスクランブリング処理を行うことによって算出したＣＲＣ（Ｃｙｃｌｉｃ  Ｒｅｄｕｎｄａｎｃｙ  Ｃｏｄｅ）を付与するように構成されている。
【００１１】
ここで、無線基地局ｅＮＢは、通信中の各移動局ＵＥに対して、上述のＲＮＴＩ及びＴＰＣ-ＰＤＣＣＨインデックスを割り当てるように構成されている。なお、ＴＰＣ-ＰＤＣＣＨインデックスは、各移動局ＵＥ用のＴＰＣコマンドのＴＰＣ-ＰＤＣＣＨ内における多重位置を示す情報である。
【００１２】
図２２に示すように、各移動局ＵＥは、各サブフレームにおいて、割り当てられているＲＮＴＩを用いて、ＴＰＣ-ＰＤＣＣＨに対するＣＲＣチェック処理を行い、かかるＣＲＣチェック処理に成功した場合、かかるＴＰＣ-ＰＤＣＣＨから、割り当てられているＴＰＣ-ＰＤＣＣＨインデックスに対応する位置に多重されているＴＰＣコマンドを取得するように構成されている。
【先行技術文献】
【非特許文献】
【００１３】
【非特許文献１】３ＧＰＰ  ＴＳ３６.２１１  Ｖ８.６.０、「Ｐｈｙｓｉｃａｌ  Ｃｈａｎｎｅｌ  ａｎｄ  Ｍｏｄｕｌａｔｉｏｎ」、２００９年３月
【非特許文献２】３ＧＰＰ  ＴＳ３６.２１２  Ｖ８.６.０、「Ｍｕｌｔｉｐｌｅｘｉｎｇ  ａｎｄ  ｃｈａｎｎｅｌ  ｃｏｄｉｎｇ」、２００９年３月
【非特許文献３】３ＧＰＰ  ＴＳ３６.２１３  Ｖ８.６.０、「Ｐｈｙｓｉｃａｌ  Ｌａｙｅｒ  Ｐｒｏｃｅｄｕｒｅ」、２００９年３月
【発明の概要】
【発明が解決しようとする課題】
【００１４】
しかしながら、上述した移動通信システムでは、かかるＴＰＣ-ＰＤＣＣＨの送信タイミングや移動局ＵＥへの割り当て法について規定されていないため、ＴＰＣ-ＰＤＣＣＨを用いた「Ｃｌｏｓｅｄ-ｌｏｏｐ  ＴＰＣ」を効率的に行うことができない可能性があるという問題点があった。
【００１５】
そこで、本発明は、上述の課題に鑑みてなされたものであり、ＴＰＣ-ＰＤＣＣＨを介して、「Ｃｌｏｓｅｄ-ｌｏｏｐ  ＴＰＣ」で用いられるＴＰＣコマンドを効率的に送信することができる無線基地局及び移動通信方法を提供することを目的とする。
【課題を解決するための手段】
【００１６】
本発明の第１の特徴は、下りリンクチャネル内の特定のサブフレームにマッピングされる送信電力制御コマンド用下りリンク制御チャネルを介して、移動局における上りデータ信号の送信電力を制御するための該移動局用の送信電力制御コマンドを送信するように構成されている無線基地局であって、前記特定のサブフレームを決定するように構成されているリソース割当部と、前記リソース割当部によって決定された前記特定のサブフレームにマッピングされる送信電力制御コマンド用下りリンク制御チャネルを介して、前記移動局用の送信電力制御コマンドを送信するように構成されている送信部とを具備し、前記リソース割当部は、各サブフレームで送信されている送信電力制御コマンドの数に応じて、前記特定のサブフレームを決定するように構成されていることを要旨とする。
【００１７】
本発明の第２の特徴は、無線基地局が、下りリンクチャネル内の特定のサブフレームにマッピングされる送信電力制御コマンド用下りリンク制御チャネルを介して、移動局における上りデータ信号の送信電力を制御するための該移動局用の送信電力制御コマンドを送信する移動通信方法であって、前記特定のサブフレームを決定する工程Ａと、前記工程Ａにおいて決定された前記特定のサブフレームにマッピングされる送信電力制御コマンド用下りリンク制御チャネルを介して、前記移動局用の送信電力制御コマンドを送信する工程Ｂと、前記移動局が、送信電力制御コマンド用下りリンク制御チャネルを介して該移動局用の送信電力制御コマンドを取得し、該移動局用の送信電力制御コマンドに基づいて上りデータ信号の送信電力を制御する工程Ｃとを有し、前記工程Ａにおいて、各サブフレームで送信されている送信電力制御コマンドの数に応じて、前記特定のサブフレームを決定するように構成されていることを要旨とする。
【発明の効果】
【００１８】
以上説明したように、本発明によれば、ＴＰＣ-ＰＤＣＣＨを介して、「Ｃｌｏｓｅｄ-ｌｏｏｐ  ＴＰＣ」で用いられるＴＰＣコマンドを効率的に送信することができる無線基地局及び移動通信方法を提供することができる。
【図面の簡単な説明】
【００１９】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によるＴＰＣ-ＰＤＣＣＨ用リソースの割当方法について説明するための図である。
【図４】本発明の第１の実施形態に係る無線基地局によるＴＰＣ-ＰＤＣＣＨ用リソースの割当方法について説明するための図である。
【図５】本発明の第１の実施形態に係る無線基地局によるＴＰＣ-ＰＤＣＣＨ用リソースの割当方法について説明するための図である。
【図６】本発明の第１の実施形態に係る無線基地局によるＴＰＣ-ＰＤＣＣＨ用リソースの割当方法について説明するための図である。
【図７】本発明の第１の実施形態に係る無線基地局によるＴＰＣ-ＰＤＣＣＨ用リソースの割当方法について説明するための図である。
【図８】本発明の第１の実施形態に係る無線基地局によるＴＰＣ-ＰＤＣＣＨ用リソースの割当方法について説明するための図である。
【図９】本発明の第１の実施形態に係る無線基地局によるＴＰＣ-ＰＤＣＣＨ用リソースの割当方法について説明するための図である。
【図１０】本発明の第１の実施形態に係る無線基地局によるＴＰＣ-ＰＤＣＣＨ用リソースの割当方法について説明するための図である。
【図１１】本発明の第１の実施形態に係る無線基地局によるＴＰＣ-ＰＤＣＣＨ用リソースの割当方法について説明するための図である。
【図１２】本発明の第１の実施形態に係る無線基地局によるＴＰＣ-ＰＤＣＣＨ用リソースの割当方法について説明するための図である。
【図１３】本発明の第１の実施形態に係る無線基地局の動作を示すフローチャートである。
【図１４】本発明の第１の実施形態に係る無線基地局の動作を示すフローチャートである。
【図１５】本発明の第１の実施形態に係る無線基地局の動作を示すフローチャートである。
【図１６】本発明の第１の実施形態に係る無線基地局の動作を示すフローチャートである。
【図１７】本発明の第１の実施形態に係る無線基地局の動作を示すフローチャートである。
【図１８】本発明の第１の実施形態に係る無線基地局の動作を示すフローチャートである。
【図１９】本発明の第１の実施形態に係る無線基地局の動作を示すフローチャートである。
【図２０】従来の移動通信システムにおける送信電力制御について説明するための図である。
【図２１】従来の移動通信システムにおける送信電力制御について説明するための図である。
【図２２】従来の移動通信システムにおける送信電力制御について説明するための図である。
【発明を実施するための形態】
【００２０】
（本発明の第１の実施形態に係る移動通信システムの構成）
図１乃至図１２を参照して、本発明の第１の実施形態に係る移動通信システムの構成について説明する。
【００２１】
図１に示すように、本実施形態に係る移動通信システムは、ＬＴＥ方式の移動通信システムであって、本実施形態に係る移動通信システムでは、移動局ＵＥは、無線基地局ｅＮＢに対して、ＰＵＳＣＨを介して、上りデータ信号を送信し、ＰＵＣＣＨを介して、上り制御信号を送信するように構成されている。
【００２２】
また、本実施形態に係る移動通信システムでは、無線基地局ｅＮＢは、移動局ＵＥに対して、ＴＰＣ-ＰＤＣＣＨを介して、移動局ＵＥにおける上りデータ信号を制御するＴＰＣコマンド（ＴＰＣ-ＰＵＳＣＨ）及び上り制御信号の送信電力を制御するＴＰＣコマンド（ＴＰＣ-ＰＵＣＣＨ）を送信するように構成されている。
【００２３】
ここで、無線基地局ｅＮＢは、周期的に、ＴＰＣ-ＰＤＣＣＨを介して、かかるＴＰＣコマンドを送信するように構成されていてもよい。
【００２４】
なお、本実施形態に係る移動通信システムでは、特に断りのない場合、セミパーシステントスケジューリング（ＳＰＳ：Ｓｅｍｉ-Ｐｅｒｓｉｓｔｅｎｔ  Ｓｃｈｅｄｕｌｉｎｇ）が適用されており、移動局ＵＥが間欠受信（ＤＲＸ：Ｄｉｓｃｏｎｔｉｎｕｏｕｓ  Ｒｅｃｅｐｔｉｏｎ）状態であるものとする。
【００２５】
図２に示すように、無線基地局ｅＮＢは、受信部１１と、リソース割当部１２と、送信部１３とを具備している。
【００２６】
受信部１１は、移動局ＵＥによってＰＵＳＣＨを介して送信された上りデータ信号、及び、移動局ＵＥによってＰＵＣＣＨを介して送信された上り制御信号及びＳｏｕｎｄｉｎｇ  ＲＳを受信するように構成されている。
【００２７】
リソース割当部１２は、移動局ＵＥ用のＴＰＣコマンドを多重して送信するＴＰＣ-ＰＤＣＣＨをマッピングするサブフレーム（以下、特定のサブフレーム）を決定するように構成されている。
【００２８】
ここで、ＰＤＣＣＨリソースの節約の観点から、ＴＰＣ-ＰＤＣＣＨ用として割り当てるリソースをできるだけ少なくする方が好ましい、したがって、１つのＴＰＣ-ＰＤＣＣＨに多重されるＴＰＣコマンドの数をできるだけ多くすることが好ましい。
【００２９】
また、衝突を回避するために、ＴＰＣ-ＰＤＣＣＨに対して割り当てるリソースである送信タイミング（サブフレーム）は、できるだけ分散されている方が好ましい。
【００３０】
かかる点を考慮して、リソース割当部１２は、上述した「特定のサブフレーム」を決定するように構成されている。
【００３１】
具体的には、リソース割当部１２は、移動局ＵＥに対して、移動局ＵＥ用のＴＰＣコマンドを送信するＴＰＣ-ＰＤＣＣＨに対応するＲＮＴＩ（一時的な識別情報）と、当該ＴＰＣ-ＰＤＣＣＨ内におけるＴＰＣコマンドの多重位置を示すＴＰＣ-ＰＤＣＣＨインデックスとを割り当てるように構成されている。
【００３２】
ここで、ＲＮＴＩごとに、送信タイミング（サブフレーム）が設定されているものとする。
【００３３】
例えば、リソース割当部１２は、移動局ＵＥに対して、ＴＰＣ-ＰＵＳＣＨ用のＲＮＴＩ及びＴＰＣ-ＰＵＣＣＨ用のＲＮＴＩを別々に割り当てるように構成されていてもよい。
【００３４】
また、リソース割当部１２は、移動局ＵＥに対して、ＴＰＣ-ＰＵＳＣＨ用のＴＰＣ-ＰＤＣＣＨインデックス及びＴＰＣ-ＰＵＣＣＨ用のＴＰＣ-ＰＤＣＣＨインデックスを別々に割り当てるように構成されていてもよい。
【００３５】
すなわち、リソース割当部１２は、移動局ＵＥに対して、ＴＰＣ-ＰＵＳＣＨを送信するＴＰＣ-ＰＤＣＣＨ及びＴＰＣ-ＰＵＣＣＨを送信するＴＰＣ-ＰＤＣＣＨを別々に割り当てるように構成されていてもよい。
【００３６】
また、リソース割当部１２は、移動局ＵＥに対して、移動局ＵＥ用のＴＰＣ-ＰＤＣＣＨがマッピングされるサブフレームの周期を割り当てるように構成されていてもよい。
【００３７】
ここで、リソース割当部１２は、移動局ＵＥに対して、ＴＰＣ-ＰＵＳＣＨを送信するＴＰＣ-ＰＤＣＣＨがマッピングされるサブフレームの周期及びＴＰＣ-ＰＵＣＣＨを送信するＴＰＣ-ＰＤＣＣＨがマッピングされるサブフレームの周期を別々に割り当てるように構成されていてもよい。
【００３８】
なお、移動局ＵＥ用のＴＰＣ-ＰＤＣＣＨがマッピングされるサブフレームの周期は、固定周期であってもよい。
【００３９】
また、移動局ＵＥ用のＴＰＣコマンドを送信するＴＰＣ-ＰＤＣＣＨがマッピングされるサブフレームは、図３に示すように、フレームを識別するためのシーケンス番号であるフレーム番号ＦＮ（Ｆｒａｍｅ  Ｎｕｍｂｅｒ）と、各フレーム内のサブフレームを識別するためのシーケンス番号であるサブフレーム番号ＳＮ（Ｓｕｂｆｒａｍｅ  Ｎｕｍｂｅｒ）とによって特定される。
【００４０】
以下、「ＦＮ＃ｘ」及び「ＳＮ＃ｙ」によって特定されるサブフレームを「サブフレーム（＃ｘ，＃ｙ）」と呼ぶものとする。
【００４１】
例えば、図３に示すように、各フレームは、ＮＤＲＸ個のサブフレームによって構成されている。ここで、移動局ＵＥにＳＰＳが適用されている場合のＤＲＸ周期は、１つのフレームに対応する時間であるものとする。
【００４２】
また、ＦＮとしては、＃０から＃（ＮＰ/ＮＤＲＸ）-１の間の値が繰り返し使用されており、ＳＮとしては、＃０から＃ＮＤＲＸ-１の間の値が繰り返し使用されるものとする。ここで、ＮＰは、移動局ＵＥ用のＴＰＣコマンドを送信するＴＰＣ-ＰＤＣＣＨがマッピングされるサブフレーム（特定のサブフレーム）の周期である。
【００４３】
図４に、ＤＲＸ周期が「２０ｍｓ」で、移動局ＵＥ用のＴＰＣコマンドを送信するＴＰＣ-ＰＤＣＣＨがマッピングされるサブフレームの周期が「８０ｍｓ」で、「ＦＮ＃１」及び「ＳＮ＃１４」によって特定されるサブフレーム、すなわちサブフレーム（＃１，＃１４）に、移動局ＵＥ用のＴＰＣコマンドを送信するＴＰＣ-ＰＤＣＣＨがマッピングされる場合の例について示す。
【００４４】
また、図５（ａ）に示すように、本実施形態に係る移動通信システムでは、サブフレームＳＮ＃ｎにマッピングされるＴＰＣ-ＰＤＣＣＨを介したＴＰＣコマンドの送信に失敗した場合、かかるＴＰＣコマンドは、サブフレームＳＮ＃ｎ＋１にマッピングされるＴＰＣ-ＰＤＣＣＨを介して再送されるように構成されている。
【００４５】
そこで、移動局ＵＥが、ＤＲＸ状態である場合、図５（ｂ）に示すように、サブフレーム＃ｎ＋１が、移動局ＵＥの「Ｏｎ  Ｄｕｒａｔｉｏｎ（受信区間）」でない場合には、移動局ＵＥは、無線基地局ｅＮＢによって送信されたＴＰＣコマンドを受信することができない。
【００４６】
したがって、移動局ＵＥが、ＤＲＸ状態である場合に、リソース割当部１２は、移動局ＵＥにおけるＯｎ  ｄｕｒａｔｉｏｎの前半の所定数（例えば、Ｎ個）のサブフレームのいずれかを、移動局ＵＥ用のＴＰＣコマンドを送信するサブフレーム（特定のサブフレーム）とするように構成されていてもよい。
【００４７】
また、リソース割当部１２は、各ＴＰＣ-ＰＤＣＣＨに多重されているＴＰＣコマンドの数に応じて、移動局ＵＥ用のＴＰＣコマンドを送信するサブフレーム（特定のサブフレーム）を決定するように構成されている。
【００４８】
換言すると、リソース割当部１２は、各ＲＮＴＩが割り当てられている移動局ＵＥの数に応じて、すなわち、移動局ＵＥに対して割り当てられている各ＲＮＴＩにおけるＴＰＣ-ＰＤＣＣＨインデックスの数に応じて、移動局ＵＥに対して割り当てるべきＲＮＴＩ及びＴＰＣ-ＰＤＣＣＨインデックスを決定するように構成されている。
【００４９】
具体的には、リソース割当部１２は、以下のように、各移動局ＵＥに対して、ＲＮＴＩ及びＴＰＣ-ＰＤＣＣＨインデックスを割り当てるように構成されている。
【００５０】
第１に、リソース割当部１２は、他の移動局ＵＥに対して既に割り当てられているＲＮＴＩの中から、新規に通信を開始する移動局ＵＥ（以下、新規移動局ＵＥ）に対して割り当てるべきＲＮＴＩを検索する。
【００５１】
例えば、リソース割当部１２は、他の移動局ＵＥに対して既に割り当てられているＲＮＴＩで、かつ、「（ＴｐＯＤ×ＦＮ＋ＳＮ）  ｍｏｄ  Ｎ＝０」が成立するＳＮのサブフレームが設定されている新規移動局ＵＥに対して割当可能なＲＮＴＩの中から、最も多くの移動局ＵＥに対して割り当てられているＲＮＴＩを検索し、かかるＲＮＴＩを、新規移動局ＵＥに対して割り当てるべきＲＮＴＩとしてもよい。
【００５２】
ここで、新規移動局ＵＥが、ＤＲＸ状態である場合、リソース割当部１２は、新規移動局ＵＥのＯｎ  Ｄｕｒａｔｉｏｎの前半のＮ個のサブフレームが設定されているＲＮＴＩの中から、新規移動局ＵＥに対して割り当てるべきＲＮＴＩを検索するものとする。
【００５３】
「（ＴｐＯＤ×ＦＮ＋ＳＮ）  ｍｏｄ  Ｎ＝０」が成立するＳＮのサブフレームが設定されているＲＮＴＩの中に、新規移動局ＵＥに対して割当可能なＲＮＴＩが存在しない場合、リソース割当部１２は、他のサブフレームが設定されている新規移動局ＵＥに対して割当可能なＲＮＴＩの中から、最も多くの移動局ＵＥに対して割り当てられているＲＮＴＩを検索する。
【００５４】
例えば、「Ｎ＝４」のケースでは、リソース割当部１２は、「（ＴｐＯＤ×ＦＮ＋ＳＮ）  ｍｏｄ  ４＝０」が成立するＳＮのサブフレームが設定されているＲＮＴＩの中に、新規移動局ＵＥに対して割当可能なＲＮＴＩが存在しない場合、「（ＴｐＯＤ×ＦＮ＋ＳＮ）  ｍｏｄ  ４＝２」が成立するＳＮのサブフレームが設定されているＲＮＴＩ、「（ＴｐＯＤ×ＦＮ＋ＳＮ）  ｍｏｄ  ４＝１」が成立するＳＮのサブフレームが設定されているＲＮＴＩ、「（ＴｐＯＤ×ＦＮ＋ＳＮ）  ｍｏｄ  ４＝３」が成立するＳＮのサブフレームが設定されているＲＮＴＩの順に、新規移動局ＵＥに対して割当可能なＲＮＴＩを検索してもよい。
【００５５】
或いは、「Ｎ＝５」のケースでは、リソース割当部１２は、「（ＴｐＯＤ×ＦＮ＋ＳＮ）  ｍｏｄ  ５＝０」が成立するＳＮのサブフレームが設定されているＲＮＴＩの中に、新規移動局ＵＥに対して割当可能なＲＮＴＩが存在しない場合、「（ＴｐＯＤ×ＦＮ＋ＳＮ）  ｍｏｄ  ５＝２」が成立するＳＮのサブフレームが設定されているＲＮＴＩ、「（ＴｐＯＤ×ＦＮ＋ＳＮ）  ｍｏｄ  ５＝４」が成立するＳＮのサブフレームが設定されているＲＮＴＩ、「（ＴｐＯＤ×ＦＮ＋ＳＮ）  ｍｏｄ  ５＝１」が成立するＳＮのサブフレームが設定されているＲＮＴＩ、「（ＴｐＯＤ×ＦＮ＋ＳＮ）  ｍｏｄ  ５＝３」が成立するＳＮのサブフレームが設定されているＲＮＴＩの順に、新規移動局ＵＥに対して割当可能なＲＮＴＩを検索してもよい。
【００５６】
または、「Ｎ＝６」とすると、リソース割当部１２は、「（ＴｐＯＤ×ＦＮ＋ＳＮ）  ｍｏｄ  ６＝０」が成立するサブフレームが設定されているＲＮＴＩの中に、新規移動局ＵＥに対して割当可能なＲＮＴＩが存在しない場合、「（ＴｐＯＤ×ＦＮ＋ＳＮ）  ｍｏｄ  ６＝２」が成立するサブフレームが設定されているＲＮＴＩ、「（ＴｐＯＤ×ＦＮ＋ＳＮ）  ｍｏｄ  ６＝４」が成立するサブフレームが設定されているＲＮＴＩ、「（ＴｐＯＤ×ＦＮ＋ＳＮ）  ｍｏｄ  ６＝１」が成立するサブフレームが設定されているＲＮＴＩ、「（ＴｐＯＤ×ＦＮ＋ＳＮ）  ｍｏｄ  ６＝３」が成立するサブフレームが設定されているＲＮＴＩ、「（ＴｐＯＤ×ＦＮ＋ＳＮ）  ｍｏｄ  ６＝５」が成立するサブフレームが設定されているＲＮＴＩの順に、新規移動局ＵＥに対して割当可能なＲＮＴＩを検索してもよい。
【００５７】
或いは、「Ｎ＝７」とすると、リソース割当部１２は、「（ＴｐＯＤ×ＦＮ＋ＳＮ）  ｍｏｄ  ７＝０」が成立するサブフレームが設定されているＲＮＴＩの中に、新規移動局ＵＥに対して割当可能なＲＮＴＩが存在しない場合、「（ＴｐＯＤ×ＦＮ＋ＳＮ）  ｍｏｄ  ７＝２」が成立するサブフレームが設定されているＲＮＴＩ、「（ＴｐＯＤ×ＦＮ＋ＳＮ）  ｍｏｄ  ７＝４」が成立するサブフレームが設定されているＲＮＴＩ、「（ＴｐＯＤ×ＦＮ＋ＳＮ）  ｍｏｄ  ７＝６」が成立するサブフレームが設定されているＲＮＴＩ、「（ＴｐＯＤ×ＦＮ＋ＳＮ）  ｍｏｄ  ７＝１」が成立するサブフレームが設定されているＲＮＴＩ、「（ＴｐＯＤ×ＦＮ＋ＳＮ）  ｍｏｄ  ７＝３」が成立するサブフレームが設定されているＲＮＴＩ、「（ＴｐＯＤ×ＦＮ＋ＳＮ）  ｍｏｄ  ７＝５」が成立するサブフレームが設定されているＲＮＴＩの順に、新規移動局ＵＥに対して割当可能なＲＮＴＩを検索してもよい。
【００５８】
図６の例では、リソース割当部１２は、新規移動局ＵＥのＯｎ  Ｄｕｒａｔｉｏｎの前半の４個（Ｎ個）のサブフレームが設定されているＲＮＴＩで、他の移動局ＵＥに対して既に割り当てられているＲＮＴＩで、かつ、「（ＴｐＯＤ×ＦＮ＋ＳＮ）  ｍｏｄ  Ｎ＝０」が成立するＳＮ＃４のサブフレームが設定されている新規移動局ＵＥに対して割当可能なＲＮＴＩの中から、最も多くの移動局ＵＥに対して割り当てられているＲＮＴＩ（サブフレーム（＃１，＃４）が設定されているＲＮＴＩ）を、新規移動局ＵＥに対して割り当てるべきＲＮＴＩとする。
【００５９】
また、図７の例では、リソース割当部１２は、新規移動局ＵＥのＯｎ  Ｄｕｒａｔｉｏｎの前半のＮ個（４個）のサブフレームが設定されているＲＮＴＩで、他の移動局ＵＥに対して既に割り当てられているＲＮＴＩで、かつ、「（ＴｐＯＤ×ＦＮ＋ＳＮ）  ｍｏｄ  Ｎ＝０」が成立するＳＮ＃４のサブフレームが設定されている新規移動局ＵＥに対して割当可能なＲＮＴＩが存在しない、ここで、各ＲＮＴＩは、最大１２個の移動局ＵＥに対して割当可能であるものとする。
【００６０】
したがって、リソース割当部１２は、新規移動局ＵＥのＯｎ  Ｄｕｒａｔｉｏｎの前半の４個（Ｎ個）のサブフレームが設定されているＲＮＴＩで、他の移動局ＵＥに対して既に割り当てられているＲＮＴＩで、かつ、「（ＴｐＯＤ×ＦＮ＋ＳＮ）  ｍｏｄ  Ｎ＝２」が成立するＳＮ＃６のサブフレームが設定されている新規移動局ＵＥに対して割当可能なＲＮＴＩの中から、最も多くの移動局ＵＥに対して割り当てられているＲＮＴＩ（サブフレーム（＃２，＃６）が設定されているＲＮＴＩ）を、新規移動局ＵＥに対して割り当てるべきＲＮＴＩとする。
【００６１】
すなわち、リソース割当部１２は、ＴＰＣコマンドを送信可能なサブフレームの中で、最も多くのＴＰＣコマンドが送信されているサブフレームを、移動局ＵＥ用のＴＰＣコマンドを送信するサブフレーム（特定のサブフレーム）とするように構成されていてもよい。
【００６２】
第２に、リソース割当部１２は、他の移動局ＵＥに対して既に割り当てられているＲＮＴＩの中に、新規移動局ＵＥに対して割当可能なＲＮＴＩが存在しなかった場合、他の移動局ＵＥに対して未だ割り当てられていないＲＮＴＩ（以下、未割り当てＲＮＴＩ）の中から、新規移動局ＵＥに対して割り当てるべきＲＮＴＩを検索し、当該ＲＮＴＩに対して設定されているサブフレームを、移動局ＵＥ用のＴＰＣコマンドを送信するサブフレーム（特定のサブフレーム）とする。
【００６３】
例えば、「Ｎ＝４」のケースでは、リソース割当部１２は、「（ＴｐＯＤ×ＦＮ＋ＳＮ）  ｍｏｄ  ４＝０」が成立するＳＮのサブフレームが設定されているＲＮＴＩ、「（ＴｐＯＤ×ＦＮ＋ＳＮ）  ｍｏｄ  ４＝２」が成立するＳＮのサブフレームが設定されているＲＮＴＩ、「ＳＮ  ｍｏｄ  ４＝１」が成立するＳＮのサブフレームが設定されているＲＮＴＩ、「（ＴｐＯＤ×ＦＮ＋ＳＮ）  ｍｏｄ  ４＝３」が成立するＳＮのサブフレームが設定されているＲＮＴＩの順で、新規移動局ＵＥに対して割当可能なＲＮＴＩを検索してもよい。
【００６４】
また、「Ｎ＝５」のケースでは、リソース割当部１２は、「（ＴｐＯＤ×ＦＮ＋ＳＮ）  ｍｏｄ  ５＝０」が成立するＳＮのサブフレームが設定されているＲＮＴＩ、「（ＴｐＯＤ×ＦＮ＋ＳＮ）  ｍｏｄ  ５＝２」が成立するＳＮのサブフレームが設定されているＲＮＴＩ、「（ＴｐＯＤ×ＦＮ＋ＳＮ）  ｍｏｄ  ５＝４」が成立するＳＮのサブフレームが設定されているＲＮＴＩ、「（ＴｐＯＤ×ＦＮ＋ＳＮ）  ｍｏｄ  ５＝１」が成立するＳＮのサブフレームが設定されているＲＮＴＩ、「（ＴｐＯＤ×ＦＮ＋ＳＮ）  ｍｏｄ  ５＝３」が成立するＳＮのサブフレームが設定されているＲＮＴＩの順で、新規移動局ＵＥに対して割当可能なＲＮＴＩを検索してもよい。
【００６５】
さらに、「Ｎ＝６」のケースでは、リソース割当部１２は、「（ＴｐＯＤ×ＦＮ＋ＳＮ）  ｍｏｄ  ６＝０」が成立するＳＮのサブフレームが設定されているＲＮＴＩ、「（ＴｐＯＤ×ＦＮ＋ＳＮ）  ｍｏｄ  ６＝２」が成立するＳＮのサブフレームが設定されているＲＮＴＩ、「（ＴｐＯＤ×ＦＮ＋ＳＮ）  ｍｏｄ  ６＝４」が成立するＳＮのサブフレームが設定されているＲＮＴＩ、「（ＴｐＯＤ×ＦＮ＋ＳＮ）  ｍｏｄ  ６＝１」が成立するＳＮのサブフレームが設定されているＲＮＴＩ、「（ＴｐＯＤ×ＦＮ＋ＳＮ）  ｍｏｄ  ６＝３」が成立するＳＮのサブフレームが設定されているＲＮＴＩ、「（ＴｐＯＤ×ＦＮ＋ＳＮ）  ｍｏｄ  ６＝５」が成立するＳＮのサブフレームが設定されているＲＮＴＩの順で、新規移動局ＵＥに対して割当可能なＲＮＴＩを検索してもよい。
【００６６】
さらに、「Ｎ＝７」のケースでは、リソース割当部１２は、「（ＴｐＯＤ×ＦＮ＋ＳＮ）  ｍｏｄ  ７＝０」が成立するＳＮのサブフレームが設定されているＲＮＴＩ、「（ＴｐＯＤ×ＦＮ＋ＳＮ）  ｍｏｄ  ７＝２」が成立するＳＮのサブフレームが設定されているＲＮＴＩ、「（ＴｐＯＤ×ＦＮ＋ＳＮ）  ｍｏｄ  ７＝４」が成立するＳＮのサブフレームが設定されているＲＮＴＩ、「（ＴｐＯＤ×ＦＮ＋ＳＮ）  ｍｏｄ  ７＝６」が成立するＳＮのサブフレームが設定されているＲＮＴＩ、「（ＴｐＯＤ×ＦＮ＋ＳＮ）  ｍｏｄ  ７＝１」が成立するＳＮのサブフレームが設定されているＲＮＴＩ、「（ＴｐＯＤ×ＦＮ＋ＳＮ）  ｍｏｄ  ７＝３」が成立するＳＮのサブフレームが設定されているＲＮＴＩ、「（ＴｐＯＤ×ＦＮ＋ＳＮ）  ｍｏｄ  ７＝５」が成立するＳＮのサブフレームが設定されているＲＮＴＩの順で、新規移動局ＵＥに対して割当可能なＲＮＴＩを検索してもよい。
【００６７】
また、リソース割当部１２は、新規移動局ＵＥに対して最後に割り当てられたＲＮＴＩに対して設定されている送信タイミング（サブフレーム）を特定するＦＮに基づいて、新規移動局ＵＥに対して割り当てるべきＲＮＴＩに対して設定されている送信タイミング（サブフレーム）が含まれるフレームを決定するように構成されていてもよい。
【００６８】
例えば、新規移動局ＵＥに対して最後に割り当てられた未割り当てＲＮＴＩに対して設定されている送信タイミング（サブフレーム）を特定するＦＮを「Ｆｐｒｅ」とし、新規移動局ＵＥに対して割り当てるべきＲＮＴＩに対して設定されている送信タイミング（サブフレーム）が含まれるフレームのＦＮを「Ｆｎｅｗ」とすると、リソース割当部１２は、「Ｆｎｅｗ＝Ｆｐｒｅ＋１」によって、「Ｆｎｅｗ」を決定するように構成されている。
【００６９】
ここで、「Ｆｎｅｗ」によって特定されるフレームの中に、新規移動局ＵＥに対して割当可能なＲＮＴＩに対して設定されている送信タイミング（サブフレーム）が存在しなかった場合、リソース割当部１２は、新規移動局ＵＥに対して割当可能なＲＮＴＩに対して設定されている送信タイミング（サブフレーム）を発見するまで、「Ｆｎｅｗ」の値をインクリメントしていくように構成されている。
【００７０】
図８の例では、他の移動局ＵＥに対して既に割り当てられているＲＮＴＩ（サブフレーム（＃０，＃４）及び（＃１，＃４）が設定されているＲＮＴＩ）の中に、新規移動局ＵＥに対して割当可能なＲＮＴＩが存在しないため、リソース割当部１２は、未割り当てＲＮＴＩの中から、新規移動局ＵＥに対して割当可能なＲＮＴＩを検索する。
【００７１】
ここで、新規移動局ＵＥに対して最後に割り当てられた未割り当てＲＮＴＩに対して設定されている送信タイミング（サブフレーム）を特定する「Ｆｐｒｅ」が、サブフレーム（＃２，＃１６）を特定する「ＦＮ＃２」であるため、リソース割当部１２は、新規移動局ＵＥに対して割り当てるべきＲＮＴＩに対して設定されている送信タイミング（サブフレーム）を特定する「Ｆｎｅｗ」を「ＦＮ＃３」とする。
【００７２】
なお、図９に示すように、リソース割当部１２は、新規移動局ＵＥに対して割り当てるべきＲＮＴＩに対して設定されているサブフレームを特定する「Ｆｎｅｗ」を「ＦＮ＃２」と決定した場合で、かつ、「ＦＮ＃２」のフレーム内のサブフレーム（＃２，＃４）が設定されているＲＮＴＩが新規移動局ＵＥに対して割り当てできなかった場合に、更に「Ｆｎｅｗ」の値をインクリメントし、新規移動局ＵＥに対して割り当てるべきＲＮＴＩに対して設定されているサブフレームを特定する「Ｆｎｅｗ」を「ＦＮ＃３」としてもよい。
【００７３】
また、図１０に示すように、リソース割当部１２は、新規移動局ＵＥに対して割り当てるべきＲＮＴＩに対して設定されている送信タイミング（サブフレーム）を特定する「Ｆｎｅｗ」を「ＦＮ＃２」と決定した場合で、「ＦＮ＃２」のフレーム内のサブフレーム（＃２，＃４）が設定されているＲＮＴＩが新規移動局ＵＥに対して割り当てできなかった場合で、かつ、「ＦＮ＃３」のフレーム内のサブフレーム（＃３，＃４）が設定されているＲＮＴＩが新規移動局ＵＥに対して割り当てできなかった場合に、「ＦＮ＃２」のフレーム内のサブフレーム（＃２，＃６）が設定されているＲＮＴＩを、新規移動局ＵＥに対して割り当てるべきＲＮＴＩとしてもよい。
【００７４】
さらに、リソース割当部１２は、新規移動局ＵＥのＯｎ  Ｄｕｒａｔｉｏｎの前半の４個（Ｎ個）のサブフレームが設定されているＲＮＴＩの中に、新規移動局ＵＥに対して割当可能なＲＮＴＩが存在しない場合、新規移動局ＵＥのＯｎ  Ｄｕｒａｔｉｏｎの残りのサブフレームが設定されているＲＮＴＩのうち、若いＳＮのサブフレームが設定されているＲＮＴＩから優先的に新規移動局ＵＥに対して割り当てるべきＲＮＴＩとしてもよい。
【００７５】
さらに、新規移動局ＵＥのＯｎ  Ｄｕｒａｔｉｏｎの前半の４個（Ｎ個）のサブフレームが設定されているＲＮＴＩの中に、新規移動局ＵＥに対して割当可能なＲＮＴＩが存在しない場合、新規移動局ＵＥのＯｎ  Ｄｕｒａｔｉｏｎの残りのサブフレームが設定されているＲＮＴＩの中で、新規移動局ＵＥに対して割当可能な最も若いＳＮのサブフレームが設定されているＲＮＴＩを、新規移動局ＵＥに対して割り当てるべきＲＮＴＩとしてもよい。
【００７６】
図１１の例では、新規移動局ＵＥのＯｎ  Ｄｕｒａｔｉｏｎの前半の４個のサブフレーム（ＳＮ＃０〜＃３）が設定されているＲＮＴＩの中に、新規移動局ＵＥに対して割当可能なＲＮＴＩが存在せず、新規移動局ＵＥのＯｎ  Ｄｕｒａｔｉｏｎの前半の４個のサブフレーム（ＳＮ＃０〜＃３）が設定されているＲＮＴＩを、新規移動局ＵＥに対して割り当てることができない場合、リソース割当部１２は、新規移動局ＵＥのＯｎ  Ｄｕｒａｔｉｏｎの残りのサブフレームが設定されているＲＮＴＩの中で、新規移動局ＵＥに対して割当可能な最も若いＳＮのサブフレームが設定されているＲＮＴＩで、かつ、最も多くの移動局ＵＥに対して割り当てられているＲＮＴＩ（サブフレーム（＃２，＃８）が設定されているＲＮＴＩ）を、新規移動局ＵＥに対して割り当てるべきＲＮＴＩとしてもよい。
【００７７】
また、リソース割当部１２は、各移動局ＵＥにおける上りデータ信号の送信電力を制御するためのＴＰＣコマンド（ＴＰＣ-ＰＵＳＣＨ）を送信するＴＰＣ-ＰＤＣＣＨをマッピングするサブフレームの区間と、各移動局ＵＥにおける上り制御信号の送信電力を制御するためのＴＰＣコマンド（ＴＰＣ-ＰＵＣＣＨ）を送信するＴＰＣ-ＰＤＣＣＨをマッピングするサブフレームの区間とを異なる区間とするように構成されていてもよい
例えば、図１２に示すように、リソース割当部１２は、ＴＰＣ-ＰＵＳＣＨを送信するＴＰＣ-ＰＤＣＣＨを、ＦＮ＃０乃至＃３のフレーム内のサブフレームにマッピングし、ＴＰＣ-ＰＵＣＣＨを送信するＴＰＣ-ＰＤＣＣＨを、ＦＮ＃４乃至＃７内のサブフレームにマッピングするように構成されていてもよい。
【００７８】
なお、ＦＮ＃０乃至＃３のフレーム内のサブフレームが、ＴＰＣ-ＰＵＳＣＨを送信するＴＰＣ-ＰＤＣＣＨによって全て埋められてしまった場合には、リソース割当部１２は、ＴＰＣ-ＰＵＳＣＨを送信するＴＰＣ-ＰＤＣＣＨを、ＦＮ＃４乃至＃７のフレーム内のサブフレームにマッピングするように構成されていてもよい。
【００７９】
同様に、ＦＮ＃４乃至＃７のフレーム内のサブフレームが、ＴＰＣ-ＰＵＣＣＨを送信するＴＰＣ-ＰＤＣＣＨによって全て埋められてしまった場合には、リソース割当部１２は、ＴＰＣ-ＰＵＣＣＨを送信するＴＰＣ-ＰＤＣＣＨを、ＦＮ＃０乃至＃３のフレーム内のサブフレームにマッピングするように構成されていてもよい。
【００８０】
送信部１３は、リソース割当部１２によって決定された移動局ＵＥ用のＴＰＣ-ＰＤＣＣＨにＴＰＣコマンドを多重して送信するように構成されている。
【００８１】
ここで、送信部１３は、受信部１１によって受信された上りデータ信号の受信電力に基づいて、かかる上りデータ信号用のＴＰＣコマンドを生成し、受信部１１によって受信された上り制御信号の受信電力に基づいて、かかる上り制御信号用のＴＰＣコマンドを生成するように構成されている。
【００８２】
また、送信部１３は、サブフレームにマッピングされる移動局ＵＥ用のＴＰＣコマンドを送信するＴＰＣ-ＰＤＣＣＨにおいて、移動局ＵＥに対して割り当てられたＴＰＣ-ＰＤＣＣＨインデックスによって示される多重位置に移動局ＵＥ用のＴＰＣコマンドを多重すると共に、移動局ＵＥに対して割り当てられたＲＮＴＩを用いてスクランブリング処理が施されたＣＲＣ（誤り検出符号）を付与するように構成されていてもよい。
【００８３】
（本発明の第１の実施形態に係る移動通信システムの動作）
以下、図１３乃至図１９を参照して、本実施形態に係る移動通信システムの動作について、すなわち、本実施形態に係る無線基地局ｅＮＢの動作について説明する。
【００８４】
具体的には、図１３乃至図１９を参照して、本実施形態に係る無線基地局ｅＮＢが、移動局ＵＥ＃１に対して、移動局ＵＥ＃１用のＴＰＣコマンドを送信するＴＰＣ-ＰＤＣＣＨのリソース（ＲＮＴＩ及びＴＰＣ-ＰＤＣＣＨインデックス）を割り当てる動作について説明する。
【００８５】
図１３に示すように、ステップＳ１０１において、無線基地局ｅＮＢは、移動局ＵＥ＃１が、ＳＰＳが適用されている移動局ＵＥであるか否かについて判定する。
【００８６】
ＳＰＳが適用されている移動局ＵＥであると判定された場合には、本動作は、ステップＳ１０２に進み、ＳＰＳが適用されている移動局ＵＥでないと判定された場合には、本動作は、ステップＳ１１１に進む。
【００８７】
ステップＳ１０２において、無線基地局ｅＮＢは、移動局ＵＥ＃１に対して、図１５の例に従って、移動局ＵＥ＃１におけるＯｎ  ｄｕｒａｔｉｏｎの前半のＮ個のサブフレームが設定されているＲＮＴＩで、かつ、他の移動局ＵＥに対して既に割り当てられているＲＮＴＩの割り当てを試みる。
【００８８】
具体的には、図１５に示すように、無線基地局ｅＮＢは、ステップＳ３０１において、「ｉ＝０」とし、ステップＳ３０２において、「（ＴｐＯＤ×ＦＮ（ｋ）＋ＳＮ（ｋ））  ｍｏｄ  Ｎ＝ｑ（ｉ）」かつ「ＳｓｔａｒｔＯＤ≦ＳＮ（ｋ）＜ＳｓｔａｒｔＯＤ＋Ｎ」かつ「０＜Ｐ（ｋ）＜Ｐｍａｘ」を満たすＲＮＴＩの中で、Ｐ（ｋ）が最大のＲＮＴＩ＃ｘを選択する。ここで、「ＴｐＯＤ」は、Ｏｎ  ｄｕｒａｔｉｏｎの周期である。
【００８９】
ここで、「ＦＮ（ｋ）」は、ＲＮＴＩ＃ｋに対して設定されているサブフレームのＦＮであり、「ＳＮ（ｋ）」は、ＲＮＴＩ＃ｋに対して設定されているサブフレームのＳＮであり、「ｑ（ｉ）」は、所定の配列（例えば、{０，２，４，１，３}）であり、「ＳｓｔａｒｔＯＤ」は、移動局ＵＥ＃１のＯｎ  ｄｕｒａｔｉｏｎの開始位置（ＳＮ）であり、「Ｐｍａｘ」は、１つのＲＮＴＩを割当可能な最大の移動局ＵＥの数である。
【００９０】
選択可能なＲＮＴＩ＃ｘが存在する場合、本動作は、ステップＳ３０３に進み、選択可能なＲＮＴＩ＃ｘが存在しない場合、本動作は、ステップＳ３０６に進む。
【００９１】
ステップＳ３０３において、無線基地局ｅＮＢは、移動局ＵＥ＃１に対して、移動局ＵＥ＃１用のＴＰＣコマンドを送信するＴＰＣ-ＰＤＣＣＨのリソースとして、ＲＮＴＩ＃ｘを割り当てるように決定する。
【００９２】
ステップＳ３０４において、無線基地局ｅＮＢは、移動局ＵＥ＃１に対して、「ＮＥＸＴｉｎｄｅｘ（ｘ）」を割り当てることができるか否かについて判定する。ここで、「ＮＥＸＴｉｎｄｅｘ（ｉ）」は、ＲＮＴＩ＃ｉにおいて、次に割り当てるべきＴＰＣ-ＰＤＣＣＨインデックスである。
【００９３】
「ＮＥＸＴｉｎｄｅｘ（ｘ）」を割り当てることができると判定された場合、本動作は、ステップＳ３０５に進み、「ＮＥＸＴｉｎｄｅｘ（ｘ）」を割り当てることができないと判定された場合、本動作は、ステップＳ３０９に進む。
【００９４】
ステップＳ３０５において、無線基地局ｅＮＢは、移動局ＵＥ＃１に対して、移動局ＵＥ用のＴＰＣコマンドを送信するＴＰＣ-ＰＤＣＣＨのリソースとして、ＲＮＴＩ＃ｘ及び「ＮＥＸＴｉｎｄｅｘ（ｘ）」を割り当て、「ＮＥＸＴｉｎｄｅｘ（ｘ）＝（ＮＥＸＴｉｎｄｅｘ（ｘ）＋１）  ｍｏｄ  Ｐｍａｘ」によって「ＮＥＸＴｉｎｄｅｘ（ｘ）」を更新する。
【００９５】
ステップＳ３０９において、無線基地局ｅＮＢは、「ＮＥＸＴｉｎｄｅｘ（ｘ）＝（ＮＥＸＴｉｎｄｅｘ（ｘ）＋１）  ｍｏｄ  Ｐｍａｘ」によって「ＮＥＸＴｉｎｄｅｘ（ｘ）」を更新し、本動作は、ステップＳ３０４に戻る。
【００９６】
一方、無線基地局ｅＮＢは、ステップＳ３０６において、「ｉ＜Ｎ−１」が成立するか否かについて判定する。
【００９７】
無線基地局ｅＮＢは、「ｉ＜Ｎ−１」が成立すると判定した場合、ステップＳ３０７において、「ｉ」を１つだけインクリメントし、「ｉ＜Ｎ−１」が成立しないと判定した場合、ステップＳ３０８において、移動局ＵＥ＃１におけるＯｎ  ｄｕｒａｔｉｏｎの前半のＮ個のサブフレームが設定されているＲＮＴＩで、かつ、他の移動局ＵＥに対して既に割り当てられているＲＮＴＩの割り当てができないと判定する。
【００９８】
ここで、図１３に戻り、ステップＳ１０３において、無線基地局ｅＮＢが、ステップＳ１０２におけるＲＮＴＩの割り当てに成功した場合、本動作は、ステップＳ１１６に進み、移動局ＵＥ＃１用のＴＰＣコマンドを送信するＴＰＣ-ＰＤＣＣＨのリソースの割り当て動作が完了する。
【００９９】
一方、ステップＳ１０３において、無線基地局ｅＮＢが、ステップＳ１０２におけるＲＮＴＩの割り当てに失敗した場合、本動作は、ステップＳ１０４に進み、無線基地局ｅＮＢは、移動局ＵＥ＃１に対して、図１７の例に従って、移動局ＵＥ＃１のＯｎ  ｄｕｒａｔｉｏｎの前半のＮ個のサブフレームが設定されているＲＮＴＩで、かつ、未割り当てＲＮＴＩであるＲＮＴＩの割り当てを試みる。
【０１００】
具体的には、図１７に示すように、無線基地局ｅＮＢは、ステップＳ５０１において、「ｋ＝０」とし、ステップＳ５０２において、「Ｐ（ｋ）＝＝０」が成立するか否かについて判定する。ここで、「Ｐ（ｋ）」は、ＲＮＴＩ＃ｋが割り当てられている移動局ＵＥの数である。
【０１０１】
「Ｐ（ｋ）＝＝０」が成立すると判定された場合、本動作は、ステップＳ５０３に進み、「Ｐ（ｋ）＝＝０」が成立しないと判定された場合、本動作は、ステップＳ５１１に進む。
【０１０２】
ステップＳ５０３において、無線基地局ｅＮＢは、移動局ＵＥ＃１用のＴＰＣコマンドを送信するＴＰＣ-ＰＤＣＣＨのリソースとしてのＲＮＴＩ割り当て候補を、ＲＮＴＩ＃ｋに決定する。
【０１０３】
無線基地局ｅＮＢは、ステップＳ５０４において、「ｉ＝０」とし、ステップＳ５０５において、「ｍ＝０」とし、ステップＳ５０６において、「ｔＦＮ＝（ＮＥＸＴＦＮ＋ｍ）  ｍｏｄ  ＮＦＮ」とし、ステップＳ５０７において、「ｊ＝０」とし、ステップＳ５０８において、「ｔＳＮ＝（ＳｓｔａｒｔＯＤ＋ｊ）  ｍｏｄ  ＴｐＯＤ」とする。
【０１０４】
ここで、「ＮＥＸＴＦＮ」は、次に割り当てるべきフレームのＦＮであり、「ＮＦＮ」は、「ＴＰＣ-ＰＤＣＣＨの周期÷ＴｐＯＤ」によって算出されるＦＮの数である。
【０１０５】
ステップＳ５０９において、無線基地局ｅＮＢは、「（ｔＦＮ×ＴｐＯＤ＋ｔＳＮ）  ｍｏｄ  Ｎ＝＝ｑ（ｉ）」が成立するか否かについて判定する。「（ｔＦＮ×ＴｐＯＤ＋ｔＳＮ）  ｍｏｄ  Ｎ＝＝ｑ（ｉ）」が成立すると判定された場合、本動作は、ステップＳ５１０に進み、「（ｔＦＮ×ＴｐＯＤ＋ｔＳＮ）  ｍｏｄ  Ｎ＝＝ｑ（ｉ）」が成立しないと判定された場合、本動作は、ステップＳ５１４に進む。
【０１０６】
ステップＳ５１０において、無線基地局ｅＮＢは、ＲＮＴＩ＃ｋに対して、送信タイミングとして、サブフレーム（ｔＦＮ（＝ＦＮ），ｔＳＮ（＝ＳＮ））を設定することができるか否かについて判定する。
【０１０７】
ステップＳ５１０において「ＹＥＳ」が成立する場合、本動作は、ステップＳ５２１に進み、ステップＳ５１０において「Ｎｏ」が成立する場合、本動作は、ステップＳ５１６に進む。
【０１０８】
ステップＳ５２１において、無線基地局ｅＮＢは、移動局ＵＥ＃１に対して、ＲＮＴＩ＃ｋ及びＴＰＣ-ＰＤＣＣＨインデックス＃０であるＴＰＣ-ＰＤＣＣＨのリソースを割り当てる。ここで、無線基地局ｅＮＢは、ＲＮＴＩ＃ｋに対して、送信タイミングとして、サブフレーム（ｔＦＮ（＝ＦＮ），ｔＳＮ（＝ＳＮ））を設定する。
【０１０９】
そして、無線基地局ｅＮＢは、「ＮＥＸＴｉｎｄｅｘ（ｋ）＝１」とし、「Ｐ（ｋ）＝１」とし、「ＮＥＸＴＦＮ＝（ｔＦＮ＋１）  ｍｏｄ  ＮＦＮ」とする。
【０１１０】
ステップＳ５１１において、無線基地局ｅＮＢは、「ｋ＜ＮＲＮＴＩ−１」が成立するか否かについて判定する。ここで、「ＮＲＮＴＩ」は、ＴＰＣ-ＰＤＣＣＨ用として使用可能なＲＮＴＩの数である。
【０１１１】
無線基地局ｅＮＢは、「ｋ＜ＮＲＮＴＩ−１」が成立すると判定した場合、ステップＳ５１２において、「ｋ」を１つだけインクリメントし、「ｋ＜ＮＲＮＴＩ−１」が成立しないと判定した場合、ステップＳ５１３において、移動局ＵＥ＃１に対して、未割り当てＲＮＴＩを割り当てることができないと判定する。
【０１１２】
ステップＳ５１４において、無線基地局ｅＮＢは、「ｊ＜Ｎ−１」が成立するか否かについて判定する。
【０１１３】
無線基地局ｅＮＢは、「ｊ＜Ｎ−１」が成立すると判定した場合、ステップＳ５１５において、「ｊ」を１つだけインクリメントし、本動作は、ステップＳ５０８に進む。
【０１１４】
一方、無線基地局ｅＮＢは、「ｊ＜Ｎ−１」が成立しないと判定した場合、ステップＳ５１６において、「ｍ＜ＮＦＮ−１」が成立するか否かについて判定する。
【０１１５】
無線基地局ｅＮＢは、「ｍ＜ＮＦＮ−１」が成立すると判定した場合、ステップＳ５１７において、「ｍ」を１つだけインクリメントし、本動作は、ステップＳ５０６に進む。
【０１１６】
一方、無線基地局ｅＮＢは、「ｍ＜ＮＦＮ−１」が成立しないと判定した場合、ステップＳ５１８において、「ｉ＜Ｎ−１」が成立するか否かについて判定する。
【０１１７】
無線基地局ｅＮＢは、「ｉ＜Ｎ−１」が成立すると判定した場合、ステップＳ５１９において、「ｉ」を１つだけインクリメントし、本動作は、ステップＳ５０５に進む。
【０１１８】
一方、無線基地局ｅＮＢは、「ｉ＜Ｎ−１」が成立しないと判定した場合、ステップＳ５２０において、移動局ＵＥ＃１に対して、未割り当てＲＮＴＩを割り当てることができないと判定する。
【０１１９】
ここで、図１３に戻り、ステップＳ１０５において、無線基地局ｅＮＢが、ステップＳ１０４におけるＲＮＴＩの割り当てに成功した場合、本動作は、ステップＳ１１６に進み、移動局ＵＥ＃１用のＴＰＣコマンドを送信するＴＰＣ-ＰＤＣＣＨのリソースの割り当て動作が完了する。
【０１２０】
一方、ステップＳ１０５において、無線基地局ｅＮＢが、ステップＳ１０４におけるＲＮＴＩの割り当てに失敗した場合、本動作は、ステップＳ１０６に進み、無線基地局ｅＮＢは、移動局ＵＥ＃１に対して、図１８の例に従って、移動局ＵＥ＃１のＯｎ  ｄｕｒａｔｉｏｎの前半のＮ個のサブフレーム以外が設定されているＲＮＴＩで、かつ、他の移動局ＵＥに対して既に割り当てられているＲＮＴＩの割り当てを試みる。
【０１２１】
具体的には、図１８に示すように、無線基地局ｅＮＢは、ステップＳ６０１において、「ｉ＝０」とし、ステップＳ６０２において、「（ＴｐＯＤ×ＦＮ（ｋ）＋ＳＮ（ｋ））  ｍｏｄ  Ｎ＝ｑ（ｉ）」かつ「ＳｓｔａｒｔＯＤ＋Ｎ≦ＳＮ（ｋ）＜ＳｓｔａｒｔＯＤ＋ＮＯＤ」かつ「０＜Ｐ（ｋ）＜Ｐｍａｘ」を満たすＲＮＴＩの中で、Ｐ（ｋ）が最大のＲＮＴＩ＃ｘを選択する。ここで、「ＮＯＤ」は、移動局ＵＥ＃１のＯｎ  ｄｕｒａｔｉｏｎの期間である。
【０１２２】
選択可能なＲＮＴＩ＃ｘが存在する場合、本動作は、ステップＳ６０３に進み、選択可能なＲＮＴＩ＃ｘが存在しない場合、本動作は、ステップＳ６０７に進む。
【０１２３】
ステップＳ６０３において、無線基地局ｅＮＢは、移動局ＵＥ＃１に対して、移動局ＵＥ＃１用のＴＰＣコマンドを送信するＴＰＣ-ＰＤＣＣＨのリソースとして、ＲＮＴＩ＃ｘを割り当てるように決定する。
【０１２４】
ステップＳ６０４において、無線基地局ｅＮＢは、移動局ＵＥ＃１に対して、ＴＰＣ-ＰＤＣＣＨインデックスとして、「ＮＥＸＴｉｎｄｅｘ（ｘ）」を割り当てることができるか否かについて判定する。
【０１２５】
「ＮＥＸＴｉｎｄｅｘ（ｘ）」を割り当てることができると判定された場合、本動作は、ステップＳ６０５に進み、「ＮＥＸＴｉｎｄｅｘ（ｘ）」を割り当てることができないと判定された場合、本動作は、ステップＳ６０６に進む。
【０１２６】
ステップＳ６０５において、無線基地局ｅＮＢは、移動局ＵＥ＃１に対して、移動局ＵＥ用のＴＰＣ-ＰＤＣＣＨのリソースとして、ＲＮＴＩ＃ｘ及び「ＮＥＸＴｉｎｄｅｘ（ｘ）」を割り当て、「ＮＥＸＴｉｎｄｅｘ（ｘ）＝（ＮＥＸＴｉｎｄｅｘ（ｘ）＋１）  ｍｏｄ  Ｐｍａｘ」によって「ＮＥＸＴｉｎｄｅｘ（ｘ）」を更新する。
【０１２７】
ステップＳ６０６において、無線基地局ｅＮＢは、「ＮＥＸＴｉｎｄｅｘ（ｘ）＝（ＮＥＸＴｉｎｄｅｘ（ｘ）＋１）  ｍｏｄ  Ｐｍａｘ」によって「ＮＥＸＴｉｎｄｅｘ（ｘ）」を更新し、本動作は、ステップＳ６０４に戻る。
【０１２８】
一方、無線基地局ｅＮＢは、ステップＳ６０７において、「ｉ＜Ｎ−１」が成立するか否かについて判定する。
【０１２９】
無線基地局ｅＮＢは、「ｉ＜Ｎ−１」が成立すると判定した場合、ステップＳ６０８において、「ｉ」を１つだけインクリメントし、「ｉ＜Ｎ−１」が成立しないと判定した場合、ステップＳ６０９において、移動局ＵＥ＃１のＯｎ  ｄｕｒａｔｉｏｎの前半のＮ個のサブフレーム以外が設定されているＲＮＴＩで、かつ、他の移動局ＵＥに対して既に割り当てられているＲＮＴＩの割り当てができないと判定する。
【０１３０】
ここで、図１３に戻り、ステップＳ１０７において、無線基地局ｅＮＢが、ステップＳ１０６におけるＲＮＴＩの割り当てに成功した場合、本動作は、ステップＳ１１６に進み、移動局ＵＥ＃１用のＴＰＣコマンドを送信するＴＰＣ-ＰＤＣＣＨのリソースの割り当て動作が完了する。
【０１３１】
一方、ステップＳ１０７において、無線基地局ｅＮＢが、ステップＳ１０６におけるＲＮＴＩの割り当てに失敗した場合、本動作は、ステップＳ１０８に進み、無線基地局ｅＮＢは、移動局ＵＥ＃１に対して、図１９の例に従って、移動局ＵＥ＃１のＯｎ  ｄｕｒａｔｉｏｎの前半のＮ個のサブフレーム以外が設定されているＲＮＴＩで、かつ、未割り当てＲＮＴＩであるＲＮＴＩの割り当てを試みる。
【０１３２】
具体的には、図１９に示すように、無線基地局ｅＮＢは、ステップＳ７０１において、「ｋ＝０」とし、ステップＳ７０２において、「Ｐ（ｋ）＝＝０」が成立するか否かについて判定する。
【０１３３】
「Ｐ（ｋ）＝＝０」が成立すると判定された場合、本動作は、ステップＳ７０３に進み、「Ｐ（ｋ）＝＝０」が成立しないと判定された場合、本動作は、ステップＳ７１１に進む。
【０１３４】
ステップＳ７０３において、無線基地局ｅＮＢは、移動局ＵＥ＃１用のＴＰＣ-ＰＤＣＣＨのリソースとしてのＲＮＴＩ割り当て候補を、ＲＮＴＩ＃ｋに決定する。
【０１３５】
無線基地局ｅＮＢは、ステップＳ７０４において、「ｉ＝０」とし、ステップＳ７０５において、「ｍ＝０」とし、ステップＳ７０６において、「ｔＦＮ＝（ＮＥＸＴＦＮ＋ｍ）  ｍｏｄ  ＮＦＮ」とし、ステップＳ７０７において、「ｊ＝０」とし、ステップＳ７０８において、「ｔＳＮ＝（ＳｓｔａｒｔＯＤ＋Ｎ＋ｊ）  ｍｏｄ  ＴｐＯＤ」とする。
【０１３６】
ステップＳ７０９において、無線基地局ｅＮＢは、「（ｔＦＮ×ＴｐＯＤ＋ｔＳＮ）ｍｏｄ  Ｎ＝＝ｑ（ｉ）」が成立するか否かについて判定する。「（ｔＦＮ×ＴｐＯＤ＋ｔＳＮ）ｍｏｄ  Ｎ＝＝ｑ（ｉ）」が成立すると判定された場合、本動作は、ステップＳ７１０に進み、「（ｔＦＮ×ＴｐＯＤ＋ｔＳＮ）ｍｏｄ  Ｎ＝＝ｑ（ｉ）」が成立しないと判定された場合、本動作は、ステップＳ７１４に進む。
【０１３７】
ステップＳ７１０において、無線基地局ｅＮＢは、ＲＮＴＩ＃ｋに対して、送信タイミングとして、サブフレーム（ｔＦＮ（＝ＦＮ），ｔＳＮ（＝ＳＮ））を設定することができるか否かについて判定する。
【０１３８】
ステップＳ７１０において「ＹＥＳ」が成立する場合、本動作は、ステップＳ７２１に進み、ステップＳ７１０において「Ｎｏ」が成立する場合、本動作は、ステップＳ７１６に進む。
【０１３９】
ステップＳ７２１において、無線基地局ｅＮＢは、移動局ＵＥ＃１に対して、ＲＮＴＩ＃ｋ及びＴＰＣ-ＰＤＣＣＨインデックス＃０であるＴＰＣ-ＰＤＣＣＨのリソースを割り当てる。ここで、無線基地局ｅＮＢは、ＲＮＴＩ＃ｋに対して、ＴＰＣ-ＰＤＣＣＨの送信タイミングとして、サブフレーム（ｔＦＮ（＝ＦＮ），ｔＳＮ（＝ＳＮ））を設定する。
【０１４０】
そして、無線基地局ｅＮＢは、「ＮＥＸＴｉｎｄｅｘ（ｋ）＝１」とし、「Ｐ（ｋ）＝１」とし、「ＮＥＸＴＦＮ＝（ｔＦＮ＋１）  ｍｏｄ  ＮＦＮ」とする。
【０１４１】
ステップＳ７１１において、無線基地局ｅＮＢは、「ｋ＜ＮＲＮＴＩ−１」が成立するか否かについて判定する。
【０１４２】
無線基地局ｅＮＢは、「ｋ＜ＮＲＮＴＩ−１」が成立すると判定した場合、ステップＳ７１２において、「ｋ」を１つだけインクリメントし、「ｋ＜ＮＲＮＴＩ−１」が成立しないと判定した場合、ステップＳ７１３において、移動局ＵＥ＃１に対して、未割り当てＲＮＴＩを割り当てることができないと判定する。
【０１４３】
ステップＳ７１４において、無線基地局ｅＮＢは、「ｊ＜ＮＯＤ−Ｎ−１」が成立するか否かについて判定する。
【０１４４】
無線基地局ｅＮＢは、「ｊ＜ＮＯＤ−Ｎ−１」が成立すると判定した場合、ステップＳ７１５において、「ｊ」を１つだけインクリメントし、本動作は、ステップＳ７０８に進む。
【０１４５】
一方、無線基地局ｅＮＢは、「ｊ＜ＮＯＤ−Ｎ−１」が成立しないと判定した場合、ステップＳ７１６において、「ｍ＜ＮＦＮ−１」が成立するか否かについて判定する。
【０１４６】
無線基地局ｅＮＢは、「ｍ＜ＮＦＮ−１」が成立すると判定した場合、ステップＳ７１７において、「ｍ」を１つだけインクリメントし、本動作は、ステップＳ７０６に進む。
【０１４７】
一方、無線基地局ｅＮＢは、「ｍ＜ＮＦＮ−１」が成立しないと判定した場合、ステップＳ７１８において、「ｉ＜Ｎ−１」が成立するか否かについて判定する。
【０１４８】
無線基地局ｅＮＢは、「ｉ＜Ｎ−１」が成立すると判定した場合、ステップＳ５１９において、「ｉ」を１つだけインクリメントし、本動作は、ステップＳ７０５に進む。
【０１４９】
一方、無線基地局ｅＮＢは、「ｉ＜Ｎ−１」が成立しないと判定した場合、ステップＳ７２０において、移動局ＵＥ＃１に対して、未割り当てＲＮＴＩを割り当てることができないと判定する。
【０１５０】
ここで、図１３に戻り、ステップＳ１０７において、無線基地局ｅＮＢが、ステップＳ１０６におけるＲＮＴＩの割り当てに成功した場合、本動作は、ステップＳ１１６に進み、移動局ＵＥ＃１用のＴＰＣコマンドを送信するＴＰＣ-ＰＤＣＣＨのリソースの割り当て動作が完了する。
【０１５１】
一方、ステップＳ１０９において、無線基地局ｅＮＢが、ステップＳ１０８におけるＲＮＴＩの割り当てに失敗した場合、本動作は、ステップＳ１１０に進み、移動局ＵＥ＃１用のＴＰＣコマンドを送信するＴＰＣ-ＰＤＣＣＨのリソース（ＲＮＴＩ及びＴＰＣ-ＰＤＣＣＨインデックス）の割り当てに失敗する。
【０１５２】
一方、ステップＳ１１１において、無線基地局ｅＮＢは、移動局ＵＥ＃１に対して、図１４の例に従って、他の移動局ＵＥに対して既に割り当てられているＲＮＴＩの割り当てを試みる。
【０１５３】
具体的には、図１４に示すように、無線基地局ｅＮＢは、ステップＳ２０１において、「ｉ＝０」とし、ステップＳ２０２において、「（ＴｐＯＤ×ＦＮ（ｋ）＋ＳＮ（ｋ））  ｍｏｄ  Ｎ＝ｑ（ｉ）」かつ「０＜Ｐ（ｋ）＜Ｐｍａｘ」を満たすＲＮＴＩの中で、Ｐ（ｋ）が最大のＲＮＴＩ＃ｘを選択する。
【０１５４】
選択可能なＲＮＴＩ＃ｘが存在する場合、本動作は、ステップＳ２０３に進み、選択可能なＲＮＴＩ＃ｘが存在しない場合、本動作は、ステップＳ２０６に進む。
【０１５５】
ステップＳ２０３において、無線基地局ｅＮＢは、移動局ＵＥ＃１に対して、移動局ＵＥ＃１用のＴＰＣコマンドを送信するＴＰＣ-ＰＤＣＣＨのリソースとして、ＲＮＴＩ＃ｘを割り当てるように決定する。
【０１５６】
ステップＳ２０４において、無線基地局ｅＮＢは、移動局ＵＥ＃１に対して、ＴＰＣ-ＰＤＣＣＨインデックスとして、「ＮＥＸＴｉｎｄｅｘ（ｘ）」を割り当てることができるか否かについて判定する。
【０１５７】
「ＮＥＸＴｉｎｄｅｘ（ｘ）」を割り当てることができると判定された場合、本動作は、ステップＳ２０５に進み、「ＮＥＸＴｉｎｄｅｘ（ｘ）」を割り当てることができないと判定された場合、本動作は、ステップＳ２０９に進む。
【０１５８】
ステップＳ２０５において、無線基地局ｅＮＢは、移動局ＵＥ＃１に対して、移動局ＵＥ用のＴＰＣコマンドを送信するＴＰＣ-ＰＤＣＣＨのリソースとして、ＲＮＴＩ＃ｘ及び「ＮＥＸＴｉｎｄｅｘ（ｘ）」を割り当て、「ＮＥＸＴｉｎｄｅｘ（ｘ）＝（ＮＥＸＴｉｎｄｅｘ（ｘ）＋１）  ｍｏｄ  Ｐｍａｘ」によって「ＮＥＸＴｉｎｄｅｘ（ｘ）」を更新する。
【０１５９】
ステップＳ２０９において、無線基地局ｅＮＢは、「ＮＥＸＴｉｎｄｅｘ（ｘ）＝（ＮＥＸＴｉｎｄｅｘ（ｘ）＋１）  ｍｏｄ  Ｐｍａｘ」によって「ＮＥＸＴｉｎｄｅｘ（ｘ）」を更新し、本動作は、ステップＳ２０４に戻る。
【０１６０】
一方、無線基地局ｅＮＢは、ステップＳ２０６において、「ｉ＜Ｎ−１」が成立するか否かについて判定する。
【０１６１】
無線基地局ｅＮＢは、「ｉ＜Ｎ−１」が成立すると判定した場合、ステップＳ２０７において、「ｉ」を１つだけインクリメントし、「ｉ＜Ｎ−１」が成立しないと判定した場合、ステップＳ２０８において、他の移動局ＵＥに対して既に割り当てられているＲＮＴＩの割り当てができないと判定する。
【０１６２】
ここで、図１３に戻り、ステップＳ１１２において、無線基地局ｅＮＢが、ステップＳ１１１におけるＲＮＴＩの割り当てに成功した場合、本動作は、ステップＳ１１６に進み、移動局ＵＥ＃１用のＴＰＣコマンドを送信するＴＰＣ-ＰＤＣＣＨのリソースの割り当て動作が完了する。
【０１６３】
一方、ステップＳ１１２において、無線基地局ｅＮＢが、ステップＳ１１１におけるＲＮＴＩの割り当てに失敗した場合、本動作は、ステップＳ１１３に進み、無線基地局ｅＮＢは、移動局ＵＥ＃１に対して、図１６の例に従って、未割り当てＲＮＴＩの割り当てを試みる。
【０１６４】
具体的には、図１６に示すように、無線基地局ｅＮＢは、ステップＳ４０１において、「ｋ＝０」とし、ステップＳ４０２において、「Ｐ（ｋ）＝＝０」が成立するか否かについて判定する。
【０１６５】
「Ｐ（ｋ）＝＝０」が成立すると判定された場合、本動作は、ステップＳ４０３に進み、「Ｐ（ｋ）＝＝０」が成立しないと判定された場合、本動作は、ステップＳ４０９に進む。
【０１６６】
ステップＳ４０３において、無線基地局ｅＮＢは、移動局ＵＥ＃１用のＴＰＣコマンドを送信するＴＰＣ-ＰＤＣＣＨのリソースとして、ＲＮＴＩ＃ｋを割り当てるように決定する。
【０１６７】
無線基地局ｅＮＢは、ステップＳ４０４において、「ｉ＝０」とし、ステップＳ４０５において、「ｍ＝０」とし、ステップＳ４０６において、「ｔＦＮ＝（ＮＥＸＴＦＮ＋ｍ）  ｍｏｄ  ＮＦＮ」とし、ステップＳ４０７において、「ｊ＝０」とし、ステップＳ４０８において、「ｔＳＮ＝ｊ」とする。
【０１６８】
ステップＳ４０９において、無線基地局ｅＮＢは、「（ｔＦＮ×ＴｐＯＤ＋ｔＳＮ）  ｍｏｄ  Ｎ＝＝ｑ（ｉ）」が成立するか否かについて判定する。「（ｔＦＮ×ＴｐＯＤ＋ｔＳＮ）  ｍｏｄ  Ｎ＝＝ｑ（ｉ）」が成立すると判定された場合、本動作は、ステップＳ４１０に進み、「（ｔＦＮ×ＴｐＯＤ＋ｔＳＮ）  ｍｏｄ  Ｎ＝＝ｑ（ｉ）」が成立しないと判定された場合、本動作は、ステップＳ４１４に進む。
【０１６９】
ステップＳ４１０において、無線基地局ｅＮＢは、ＲＮＴＩ＃ｋに対して、送信タイミングとして、サブフレーム（ｔＦＮ（＝ＦＮ），ｔＳＮ（＝ＳＮ））を設定することができるか否かについて判定する。
【０１７０】
ステップＳ４１０において「ＹＥＳ」が成立する場合、本動作は、ステップＳ４２１に進み、ステップＳ４１０において「Ｎｏ」が成立する場合、本動作は、ステップＳ４１６に進む。
【０１７１】
ステップＳ４２１において、無線基地局ｅＮＢは、移動局ＵＥ＃１に対して、ＲＮＴＩ＃ｋ及びＴＰＣ-ＰＤＣＣＨインデックス＃０であるＴＰＣ-ＰＤＣＣＨのリソースを割り当てる。ここで、無線基地局ｅＮＢは、ＲＮＴＩ＃ｋに対して、送信タイミングとして、サブフレーム（ｔＦＮ（＝ＦＮ），ｔＳＮ（＝ＳＮ））を設定する。
【０１７２】
そして、無線基地局ｅＮＢは、「ＮＥＸＴｉｎｄｅｘ（ｋ）＝１」とし、「Ｐ（ｋ）＝１」とし、「ＮＥＸＴＦＮ＝（ｔＦＮ＋１）  ｍｏｄ  ＮＦＮ」とする。
【０１７３】
ステップＳ４１１において、無線基地局ｅＮＢは、「ｋ＜ＮＲＮＴＩ−１」が成立するか否かについて判定する。
【０１７４】
無線基地局ｅＮＢは、「ｋ＜ＮＲＮＴＩ−１」が成立すると判定した場合、ステップＳ４１２において、「ｋ」を１つだけインクリメントし、「ｉ＜ＮＲＮＴＩ−１」が成立しないと判定した場合、ステップＳ４１３において、移動局ＵＥ＃１に対して、未割り当てＲＮＴＩを割り当てることができないと判定する。
【０１７５】
ステップＳ４１４において、無線基地局ｅＮＢは、「ｊ＜ＴｐＯＤ−１」が成立するか否かについて判定する。
【０１７６】
無線基地局ｅＮＢは、「ｊ＜ＴｐＯＤ−１」が成立すると判定した場合、ステップＳ４１５において、「ｊ」を１つだけインクリメントし、本動作は、ステップＳ４０９に進む。
【０１７７】
一方、無線基地局ｅＮＢは、「ｊ＜ＴｐＯＤ−１」が成立しないと判定した場合、ステップＳ４１６において、「ｍ＜ＮＦＮ−１」が成立するか否かについて判定する。
【０１７８】
無線基地局ｅＮＢは、「ｍ＜ＮＦＮ−１」が成立すると判定した場合、ステップＳ４１７において、「ｍ」を１つだけインクリメントし、本動作は、ステップＳ４０６に進む。
【０１７９】
一方、無線基地局ｅＮＢは、「ｍ＜ＮＦＮ−１」が成立しないと判定した場合、ステップＳ４１８において、「ｉ＜Ｎ−１」が成立するか否かについて判定する。
【０１８０】
無線基地局ｅＮＢは、「ｉ＜Ｎ−１」が成立すると判定した場合、ステップＳ４１９において、「ｉ」を１つだけインクリメントし、本動作は、ステップＳ４０５に進む。
【０１８１】
一方、無線基地局ｅＮＢは、「ｉ＜Ｎ−１」が成立しないと判定した場合、ステップＳ４２０において、移動局ＵＥ＃１に対して、未割り当てＲＮＴＩを割り当てることができないと判定する。
【０１８２】
ここで、図１３に戻り、ステップＳ１１４において、無線基地局ｅＮＢが、ステップＳ１１３におけるＲＮＴＩの割り当てに成功した場合、本動作は、ステップＳ１１６に進み、移動局ＵＥ＃１用のＴＰＣコマンドを送信するＴＰＣ-ＰＤＣＣＨのリソースの割り当て動作が完了する。
【０１８３】
一方、ステップＳ１１４において、無線基地局ｅＮＢが、ステップＳ１１３におけるＲＮＴＩの割り当てに失敗した場合、本動作は、ステップＳ１１５に進み、移動局ＵＥ＃１用のＴＰＣコマンドを送信するＴＰＣ-ＰＤＣＣＨのリソース（ＲＮＴＩ及びＴＰＣ-ＰＤＣＣＨインデックス）の割り当てに失敗する。
【０１８４】
（本発明の第１の実施形態に係る移動通信システムの作用・効果）
本発明の第１の実施形態に係る移動通信システムによれば、１つのＴＰＣ-ＰＤＣＣＨに多重されるＴＰＣコマンドの数をできるだけ多くすることができ、その結果、ＴＰＣ-ＰＤＣＣＨに対して割り当てるリソースをできるだけ少なくすることができ、ＰＤＣＣＨリソースを節約することができる。
【０１８５】
また、本発明の第１の実施形態に係る移動通信システムによれば、ＴＰＣ-ＰＤＣＣＨに対して割り当てるリソース（サブフレーム）をできるだけ分散することができるため、割り当てリソースの衝突を回避することができる。
【０１８６】
以上に述べた本実施形態の特徴は、以下のように表現されていてもよい。
【０１８７】
本実施形態の第１の特徴は、ＰＤＣＣＨ（下りリンクチャネル）内の特定のサブフレームにマッピングされるＴＰＣ-ＰＤＣＣＨ（送信電力制御コマンド用下りリンク制御チャネル）を介して、移動局ＵＥにおける上りデータ信号の送信電力を制御するための移動局ＵＥ用のＴＰＣコマンド（送信電力制御コマンド）を送信するように構成されている無線基地局ｅＮＢであって、かかる特定のサブフレーム（ＴＰＣ-ＰＤＣＣＨをマッピングするサブフレーム）を決定するように構成されているリソース割当部１２と、リソース割当部１２によって決定された特定のサブフレームにマッピングされるＴＰＣ-ＰＤＣＣＨを介して、移動局ＵＥ用のＴＰＣコマンドを送信するように構成されている送信部１３とを具備し、リソース割当部１２は、各サブフレームで送信されているＴＰＣコマンドの数に応じて、上述の特定のサブフレームを決定するように構成されていることを要旨とする。
【０１８８】
本実施形態の第１の特徴において、リソース割当部１２は、各サブフレームの中で、最も多くのＴＰＣコマンドが送信されているサブフレームを、上述の特定のサブフレームとするように構成されていてもよい。
【０１８９】
本実施形態の第１の特徴において、リソース割当部１２は、移動局ＵＥに対して、ＲＮＴＩ（一時的な識別情報）と、上述の特定のサブフレームにマッピングされるＴＰＣ-ＰＤＣＣＨ内における移動局ＵＥ用のＴＰＣコマンドの多重位置を示すＴＰＣ-ＰＤＣＣＨインデックス（インデックス）とを割り当てるように構成されており、送信部１３は、かかる特定のサブフレームにマッピングされるＴＰＣ-ＰＤＣＣＨにおいて、かかるＴＰＣ-ＰＤＣＣＨインデックスによって示される多重位置に移動局ＵＥ用のＴＰＣコマンドを多重すると共に、かかるＲＮＴＩを用いてスクランブリング処理が施されたＣＲＣ（誤り検出符号）を付与するように構成されていてもよい。
【０１９０】
本実施形態の第１の特徴において、移動局ＵＥが、間欠受信状態（ＤＲＸ状態）である場合に、リソース割当部１２は、移動局ＵＥにおける「Ｏｎ  ｄｕｒａｔｉｏｎ（受信区間）」の前半の所定数のサブフレームのいずれかを、上述の特定のサブフレームとするように構成されていてもよい。
【０１９１】
本実施形態の第１の特徴において、リソース割当部１２は、各移動局における上りデータ信号の送信電力を制御するためのＴＰＣコマンド（ＴＰＣ-ＰＵＳＣＨ）を送信するＴＰＣ-ＰＤＣＣＨをマッピングするサブフレームの区間と、各移動局における上り制御信号の送信電力を制御するためのＴＰＣコマンド（ＴＰＣ-ＰＵＣＣＨ）を送信するＴＰＣ-ＰＤＣＣＨをマッピングするサブフレームの区間とを異なる区間とするように構成されていてもよい。
【０１９２】
本実施形態の第１の特徴において、リソース割当部１２は、既にＴＰＣが送信されているサブフレームの中で、上述の特定のサブフレームを決定するように構成されており、既にＴＰＣコマンドが送信されているサブフレームの中に、かかる特定のサブフレームとして決定可能なサブフレームが存在しない場合に、未だＴＰＣコマンドが送信されていないサブフレームの中で、かかる特定のサブフレームを決定するように構成されていてもよい。
【０１９３】
本実施形態の第２の特徴は、無線基地局ｅＮＢが、ＰＤＣＣＨ内の特定のサブフレームにマッピングされるＴＰＣ-ＰＤＣＣＨを介して、移動局ＵＥにおける上りデータ信号の送信電力を制御するための移動局ＵＥ用のＴＰＣコマンドを送信する移動通信方法であって、かかる特定のサブフレームを決定する工程Ａと、工程Ａにおいて決定された特定のサブフレームにマッピングされるＴＰＣ-ＰＤＣＣＨを介して、移動局ＵＥ用のＴＰＣコマンドを送信する工程Ｂと、移動局ＵＥが、ＴＰＣ-ＰＤＣＣＨを介して移動局ＵＥ用のＴＰＣコマンドを取得し、移動局ＵＥ用のＴＰＣコマンドに基づいて上りデータ信号の送信電力を制御する工程Ｃとを有し、工程Ａにおいて、各サブフレームで送信されているＴＰＣコマンドの数に応じて、かかる特定のサブフレームを決定するように構成されていることを要旨とする。
【０１９４】
本実施形態の第２の特徴において、工程Ａにおいて、各サブフレームの中で、最も多くのＴＰＣコマンドが送信されているサブフレームを、上述の特定のサブフレームとしてもよい。
【０１９５】
本実施形態の第２の特徴において、工程Ａにおいて、移動局ＵＥに対して、ＲＮＴＩと、上述の特定のサブフレームにマッピングされるＴＰＣ-ＰＤＣＣＨ内における移動局ＵＥ用のＴＰＣコマンドの多重位置を示すＴＰＣ-ＰＤＣＣＨインデックスとを割り当て、工程Ｂにおいて、かかる特定のサブフレームにマッピングされるＴＰＣ-ＰＤＣＣＨにおいて、ＴＰＣ-ＰＤＣＣＨインデックスによって示される多重位置に移動局ＵＥ用のＴＰＣコマンドを多重すると共に、かかるＲＮＴＩを用いてスクランブリング処理が施されたＣＲＣを付与し、工程Ｃにおいて、移動局ＵＥが、各サブフレームにおいて、かかるＲＮＴＩを用いて、移動局ＵＥ用のＴＰＣ-ＰＤＣＣＨ上の信号の受信を試みてもよい。
【０１９６】
本実施形態の第２の特徴において、移動局ＵＥが、間欠受信状態（ＤＲＸ銃応対）である場合に、工程Ａにおいて、移動局ＵＥにおける「Ｏｎ  ｄｕｒａｔｉｏｎ」の前半の所定数のサブフレームのいずれかを、上述の特定のサブフレームとしてもよい。
【０１９７】
本実施形態の第２の特徴において、工程Ａにおいて、各移動局における上りデータ信号の送信電力を制御するためのＴＰＣコマンド（ＴＰＣ-ＰＵＳＣＨ）を送信するＴＰＣ-ＰＤＣＣＨをマッピングするサブフレームの区間と、各移動局における上り制御信号の送信電力を制御するためのＴＰＣコマンド（ＴＰＣ-ＰＵＣＣＨ）を送信するＴＰＣ-ＰＤＣＣＨをマッピングするサブフレームの区間とを異なる区間としてもよい。
【０１９８】
本実施形態の第２の特徴において、工程Ａにおいて、既にＴＰＣコマンドが送信されているサブフレームの中で、上述の特定のサブフレームを決定し、既にＴＰＣコマンドが送信されているサブフレームの中に、かかる特定のサブフレームとして決定可能なサブフレームが存在しない場合に、未だＴＰＣコマンドが送信されていないサブフレームの中で、かかる特定のサブフレームを決定してもよい。
【０１９９】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。
【０２００】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０２０１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【０２０２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０２０３】
ｅＮＢ…無線基地局
１１…受信部
１２…リソース割当部
１３…送信部
【図１】
2010268370.tif 000003
【図２】
2010268370.tif 000004
【図３】
2010268370.tif 000005
【図４】
2010268370.tif 000006
【図５】
2010268370.tif 000007
【図６】
2010268370.tif 000008
【図７】
2010268370.tif 000009
【図８】
2010268370.tif 000010
【図９】
2010268370.tif 000011
【図１０】
2010268370.tif 000012
【図１１】
2010268370.tif 000013
【図１２】
2010268370.tif 000014
【図１３】
2010268370.tif 000015
【図１４】
2010268370.tif 000016
【図１５】
2010268370.tif 000017
【図１６】
2010268370.tif 000018
【図１７】
2010268370.tif 000019
【図１８】
2010268370.tif 000020
【図１９】
2010268370.tif 000021
【図２０】
2010268370.tif 000022
【図２１】
2010268370.tif 000023
【図２２】
2010268370.tif 000024